(57)【要約】【課題】  光源移動型ＦＡＵでは、光源とキャリッジの同期が重要となる。この同期ズレを無くする。【解決手段】  Ｓ／Ｓ制御時に光源を動かさないことで位置の同期を正確に行う。Ｓ／Ｓ時に光源側がスイッチバック制御を行わないことで、読み終わりと、読み始めの光源の位置が変化しない。【選択図】  図１
2009124415.tif 000002
【特許請求の範囲】
【請求項１】
移動型透過原稿用光源を有し、読み取りセンサーを具備することを特徴とする画像処理装置。
【請求項２】
請求項１に記載の画像処理装置において、
前記移動型透過原稿用光源は、モーターにより駆動され、前記読取りセンサーと同期しながら透過原稿画像を読取ること特徴とする画像処理装置。
【請求項３】
請求項２に記載の画像処理装置において、
前記読取りセンサーがステップバックして読取るときに、前記移動型透過原稿用光源は前記読取りセンサーと同期せずにその場で停止することを特徴とする画像処理装置。
【発明の詳細な説明】
【技術分野】
【０００１】
この発明は原稿を読み取ることによって得られる画像データの画像読み取り方法並びに画像処理装置に関する。
【背景技術】
【０００２】
近年、通信ネットワークの発達、コンピュータの高速化及び記憶媒体の大容量化に伴い、カラー画像情報を取り扱う上で、より高画質化が望まれるようになって来ている。中でもスキャナなどで取りこんだカラー画像情報をより正確に高速、高画質で大量に読取りたいという要求が高まっている。
【０００３】
写真フィルムなどの透過原稿に対しては、移動型透過原稿用光源を用意する方法と、透過原稿全面を照射する光源を用意する方法がある。移動型透過原稿用光源を使用する場合は、照射する面積が透過原稿全面を照射するよりも狭くすることが出来るため、輝度を高くすることや光の均一性を高められることが期待できる。このとき、移動型透過原稿用光源と読取りセンサーを同期させて移動させる必要がある。特開2003-158612号公報では磁石により同期を取る方法を提案している。また、ステッピングモーターで駆動する場合は、移動型透過原稿用光源が移動する速度と、読取りセンサーが移動する速度を同じにする事で同期を取ることが出来る。
【特許文献１】特開2003-158612号公報
【発明の開示】
【発明が解決しようとする課題】
【０００４】
読取った画像情報は、読取装置に内蔵された記憶装置に蓄えられる。この画像情報は、外部インタフェースを通じて読み出される。この読み出すタイミングが遅ければ、記憶装置から画像情報があふれてしまうので、読取りセンサーの移動を止める必要がある。読取りセンサーを止めるには減速させる必要があり、動かすには加速させる必要がある。この減速と加速のための移動距離のため、読取り開始位置がずれてしまう。このため、読取りセンサーをステップバックさせてから、読取る必要がある。この場合、移動型透過原稿用光源と読取りセンサーの位置合わせを確実に行う必要があった。
【課題を解決するための手段】
【０００５】
ステップバックを行うとき、移動型透過原稿用光源のモーター駆動を行わないように制御する。読取りセンサーが再び画像情報を読み込むときに、移動型透過原稿用光源のモーターを駆動させることで、光源と読取りセンサーの位置合わせを行うことが可能となる。
【発明の効果】
【０００６】
以上、説明したとおり、本発明により画像読取装置において、低解像度ギアを使用して高速に画像を読むことが出来、低解像度ギアを使用して高速に読取り位置まで移動した後、高解像度ギアに切替えて画像を読むことが可能となる。
【発明を実施するための最良の形態】
【０００７】
次に、本発明の詳細を実施例の記述に従って説明する。
【０００８】
以下、添付図面を参照して本発明の実施の形態を詳細に説明する。
【実施例１】
【０００９】
図１は、本実施の形態の画像処理方法を実現する画像入力装置の構成例である。
【００１０】
画像読取装置１には、フィルム原稿２０を読取る際に必要な透過原稿用照明装置２が設置され、画像読取装置制御基板３から制御可能なように透過原稿用光源点灯インバータ４とI/Fケーブル５によって電気的に接続されている。モーター２１によって、透過原稿用光源２２は、主走査方向に移動する。このモーター２１は、画像入力制御装置基板３と信号ケーブル２３によって接続され、画像入力制御装置基板によって制御される。また、フィルム原稿２０とCCDイメージセンサ７を光学的に結像するために必要な第1反射ミラー８、第２反射ミラー９、第３反射ミラー１０、第４反射ミラー１１、第５反射ミラー１２とレンズ１３、さらに書類原稿等を照射するための反射原稿用照明光源１４を一体の移動部材とする光学ユニット１５は、画像入力装置制御基板３と信号ケーブル１６に電気的に接続されているモーター１７によって、図示された走査方向矢印の向きに走査しながら画像を読取る構成となっている。このとき、透過原稿用光源２２が、モーター２１によって、光学ユニットと同期を取りながら移動することにより、フィルム原稿２０に光を照射する。CCDイメージセンサ７と画像入力装置制御基板３は、信号ケーブル１８によって電気的に接続されており、モーター１７によって、光学ユニット1５を主走査方向に駆動する。画像入力制御制御基板３は、外部インタフェース１９に接続されており、このインタフェースを介して外部から画像入力制御基板を制御し、CCDイメージセンサ７により光電変換された電気信号を画像データとして、外部へ出力する。
【００１１】
図２は、本実地の形態の画像処理方法を実現する画像入力装置の電気的な構成を示すブロック図である。光学ユニット１は、反射原稿用光源である光源2と、イメージセンサ3が含まれる。光源3システムコントローラ5によって制御される。イメージセンサ3は、システムコントローラ5によって制御され、イメージセンサ３から出力された信号は、アナログ処理回路6を通り、Ａ／Ｄ変換回路7を通り、画像処理回路8を通りバッファ9にたまる。システムコントローラ5、バッファ9、インターフェース10は接続されており、相互のデータ通信が可能となっている。また、バッファ9にたまった信号は、画像データとしてインターフェース10を通り、外部機器11に送られる。また、システムコントローラ５に、キャリッジ移動モータ１２とギア切替えモータ１３が接続されて制御される。
【００１２】
以下に、本発明の実地の形態である画像読取装置の動作を図３のフローチャートに従って説明する。
【００１３】
ステップ１において、読取りセンサーと、移動型透過原稿用光源を初期位置に戻す処理を行う。元から初期位置にいる場合は、戻す処理は必要ない。この処理を行うことで、移動開始位置での位置を合わせることができる。
【００１４】
ステップ２において、読取りセンサーで画像を読み込み始める。同時に移動型透過原稿用光源も同じ速度で駆動させることで、常に同じ位置関係を保ったまま読取る事が出来る。
【００１５】
ステップ３において、読取りセンサーで読込んだ画像を、バッファに保存する。
【００１６】
ステップ４において、読み込みが終了したかを判定する。
【００１７】
ステップ５において、バッファが一杯に溜まったかどうかを判定する。溜まっていなければ、ステップ２に戻って画像を読み込む。
【００１８】
ステップ６において、移動型透過原稿用光源のモーターを停止させる。
【００１９】
ステップ７において、読取りセンサーを減速させて止める。その後の加速分を考慮して、ステップバックして待機する。
【００２０】
ステップ８において、バッファが空になるまで待つ。
【００２１】
ステップ９において、読取りセンサーを加速させながら駆動させる。
【００２２】
ステップ１０において、移動型透過原稿用光源のモーターを駆動させる。この状態でステップ５の状態に戻るため、ステップ２に移動して画像の読み込みを行う。
【００２３】
（その他の実施形態）
本発明の目的は、前記した実地形態の機能を実現するソフトウェアのプログラムコードを記録した記憶媒体、または記録媒体が、システム、または装置に付随し、そのシステム、または装置のコンピュータ（処理演算装置を含む）が記憶媒体、または記録媒体に記録されたソフトウェアのプログラムコードを読み出し、実行することによっても達成される。この場合、記憶媒体、または記憶媒体から読み出されたソフトウェアのプログラムコードが前記した実施形態の機能を実現することになる。そして、そのソフトウェアのプログラムコードを記録された記憶媒体、または記録媒体は、本発明を構成する。
【００２４】
また、システム、または装置のコンピュータが読み出したソフトウェアのプログラムコードを実行することにより、前記した実施形態の機能が実現するだけでなく、そのソフトウェアのプログラムコードの内容にもとづき、コンピュータ上で稼動しているオペレーションシステムが実際の処理の一部、または全部を担い、その処理によって前記した実施形態の機能が実現することになる。
【００２５】
記憶媒体、または記録媒体から読み出されたソフトウェアのプログラムコードが、システム、または装置のコンピュータに付随する機能を拡張するためのハードウェアに備わる記憶媒体、または記録媒体に移された後、そのソフトウェアのプログラムコードの内容にもとづき、システム、または装置のコンピュータに付随する機能を拡張するためのハードウェアに備わる処理演算装置などが、実際の処理の一部、または全部を担い、その処理によって前記した実施形態の機能が実現することになる。
【図面の簡単な説明】
【００２６】
【図１】本発明の実施の形態を説明するための概略図。
【図２】本発明の実施の形態を説明するためのブロック図。
【図３】本発明の実施の形態を説明するためのフローチャート。
【図１】
2009124415.tif 000003
【図２】
2009124415.tif 000004
【図３】
2009124415.tif 000005